(57)【要約】【課題】エネルギー生成のためのガス購入契約においては、基準量を満たす契約年間ガス使用量の制約が伴うことがあり、下限制約を逸脱した場合にはペナルティが発生する。【解決手段】エネルギー運転計画を作成するとき、熱需要総量算出部により短期間区分の区分毎を更に時間区分して時間区分帯毎の電力・熱需要総量を抽出する。熱主要総量算出部により電力・熱需要総量より契約電力対策分を減算することで熱需要総量を求め、ガス需要コスト算出部で熱需要総量に対するコストを算出した後にガス使用期待量を求める。所定期間内でのガス使用量下限制約とガス使用期待量と比較し、ガス使用期待量が少ないときにガス強制使用量を熱需要分だけに割り当て、割り当てられたガス使用期待量とガス強制使用量を配分して消費目標設定部による消費目標値とする。【選択図】  図１
2014228873.tif 000002
【特許請求の範囲】
【請求項１】
エネルギー消費設備のエネルギー源として電力、自然エネルギーおよびガスの供給源を有し、所定期間内でのガス使用量下限制約の有する購入ガス量の消費を基にエネルギー最適運転計画作成装置によってエネルギー運転計画を作成する方法において、
エネルギー需要作成部によって作成された電力・ガスによる一次エネルギー価格の変動時間帯を前記所定期間内で短期間に区分し、熱需要総量算出部によって短期間区分の区分毎を更に時間区分して時間区分帯毎の電力・熱需要総量を抽出し、熱需要総量算出部により電力・熱需要総量より契約電力対策分を減算することで熱需要総量を求め、ガス需要コスト算出部で熱需要総量に対するコストを算出した後にガス使用期待量を求めると共に、
熱需要設定部により前記短期間区分および時間区分毎のガス使用期待量を総計して所定期間内でのガス使用量下限制約と比較し、ガス使用期待量が少ないときにガス強制使用量を熱需要分だけに割り当て、割り当てられたガス使用期待量とガス強制使用量を配分して消費目標設定部による消費目標値とすることを特徴としたエネルギー最適計画作成方法。
【請求項２】
エネルギー消費設備のエネルギー源として電力、自然エネルギーおよびガスの供給源を有し、所定期間内でのガス使用量下限制約の有する購入ガス量消費を基にエネルギー最適運転計画作成装置によってエネルギー運転計画を作成するものにおいて、
前記エネルギー最適運転計画作成装置に格納されたデータを基に電力・ガスの
価格の変動時間帯を前記所定期間内での短期間，時間帯で区分してエネルギー需要予想を作成するエネルギー需要作成部と、
エネルギー需要作成部により作成された時間帯区分毎のコージェネレーション利用によるエネルギー総量を算出するエネルギー総量算出部と、
エネルギー総量算出部で算出された実績を基に所定期間内の短期間毎に、エネルギー需要作成部で作成された時間帯区分毎のエネルギー総量を抽出し、時間帯区分毎のエネルギー総量から前記コージェネレーション利用による契約電力対策分を引いて熱需要総量を算出する熱需要総量算出部と、
算出された熱需要総量に対し、コージェネレーションとボイラ利用以外の電力利用による熱機器による単位出力コスト、およびコージェネレーションとボイラ利用時の単位出力コストをそれぞれ算出する熱需要コスト算出部と、
熱需要コスト算出部で算出された各時間帯でのガス使用コストと電気設備使用時のコスト比較を行い、ガス使用有利のときのガス使用量を期待量とし所定期間内の短期間毎・時間帯毎に求めて所定期間の需要量設定値とするガス使用期待量算出部と、
ガス使用期待量算出部で算出された短期間毎・時間帯毎のガス使用期待量を総計して前記所定期間内でのガス使用量下限制約と比較し、ガス使用期待量の総計が少ないときにガス強制使用量を熱需要分に割り当てる熱需要設定部と、
前記ガス使用期待量とガス強制使用量の何れかを選択し、選択された量を強制使用量の目標値として設定する消費目標設定部を備えたことを特徴とするエネルギー最適運転計画作成装置。
【請求項３】
エネルギー消費系統に利用可能な蓄電池の存在時に時間別価格帯調整部を設け、前記エネルギー需要作成部で作成されたエネルギー需要予想の最低電力価格帯で蓄電池をフル充電し、充電時の蓄電池効率を考慮した電力価格がコージェネレーションの発電コストよりも安価なときに最高電力価格帯でフル放電（放電量＝充電量＊充電効率＊放電効率）するようエネルギー需要予想を修正することを特徴とした請求項２記載のエネルギー最適運転計画作成装置。
【請求項４】
強制使用量を目標値としてエネルギー消費機器の運転を実行する運転制御部を設け、運転制御部はエネルギー消費機器による消費データを入力し、入力された消費データ量が当該短期間の強制使用量の目標値に到達しなかったときには、未到達分を次の短期間の強制使用量の目標値に加算して運転を行うことを特徴とした請求項２又は３記載のエネルギー最適運転計画作成装置。
【請求項５】
前記熱需要設定部での所定期間内における時間毎にガス強制使用量を割り当てで、熱需要設定部は、選択機器を所定期間通じて電気料金の高い時間で、且つ電熱運転で使用していない時間を選んで稼動し、電気料金の高額な順に所定期間内の全時間の稼動可否を調べ、稼動可能時に稼動分のガス量を短期間区分の時間帯ガス分配量に加算することを特徴とした請求項２乃至４記載のエネルギー最適運転計画作成装置。
【発明の詳細な説明】
【技術分野】
【０００１】
本発明は、エネルギー最適計画作成方法と最適制御装置に係わり、特に契約年間ガス使用量の下限制約に対するエネルギー最適計画作成方法と、最適計画法により作成された需要計画に基づく最適制御装置に関するものである。
【背景技術】
【０００２】
電力会社の給電制御を始めとして、スマートグリッドの需給制御、スマートＢＥＭＳ・ＦＥＭＳ（エネルギー管理システム）などによる需給制御やマイクログリッドの需給制御では、エネルギー設備の経済性や環境性に対する最適運転を行うために、通常、次のような需給計画制御を実施している。
ａ．需給バランスを実現する需給制御は、需要予測から作成する運転計画にしたがって発電を行うと共に、需要と供給と差分を調整する出力制御を行う。その際の計画期間は１日から数日である。
ｂ．「運転計画作成」は、「電力・熱需要予測」結果と「自然エネルギー出力予測」結果から各新エネルギー電源の最適運転計画を作成する。
ｃ．「負荷追従制御」は、運転計画で作成した運転パターンに従った各新エネルギー電源の運転／停止並びに出力制御を行うと共に、負荷変動に追従した出力制御を行う。
ｄ．「短時間負荷予測」は、予備発電力が不足状態となったことを検出して運転パターンの修正を行う。
【０００３】
図１２は、上記ａ〜ｄの過程を模式化したものである。また、電力・熱負荷予測制御としては、例えば特許文献１等が公知となっている。
【先行技術文献】
【特許文献】
【０００４】
【特許文献１】特開２００９−１８９０８５
【発明の概要】
【発明が解決しようとする課題】
【０００５】
電力や熱需要を満たすためにはガスが使用されるが、使用ガス購入のための大口購入契約においては大口供給の基準量を満たす契約年間ガス使用量が決められ、その使用量を決定する際には下回ることの出来ない使用量の制約を伴うことがあり、下限制約を逸脱した場合にはペナルティが発生する。
【０００６】
現状のエネルギー最適運転計画システムでは、最適化の時間単位が１日〜数日であることから、年間契約量である大量のガスに対する最適な消費についての考慮がされていない。また、エネルギー価格が電力＜ガスの現状下で、年間におけるガスの使用量が、何れの時点で、どの程度の量を使用するかといった最適需給制御を行うためのシミュレーションをしようとしても、そのためのコストが増大するという問題を有している。
【０００７】
本発明が目的とするところは、大口供給の基準量を満たす契約年間ガス使用量の下限制約量内で行うエネルギー最適計画作成方法と最適制御装置を提供することにある。
【課題を解決するための手段】
【０００８】
本発明の請求項１は、エネルギー消費設備のエネルギー源として電力、自然エネルギーおよびガスの供給源を有し、所定期間内でのガス使用量下限制約の有する購入ガス量の消費を基にエネルギー最適運転計画作成装置によってエネルギー運転計画を作成する方法において、
エネルギー需要作成部によって作成された電力・ガスによる一次エネルギー価格の変動時間帯を前記所定期間内で短期間に区分し、熱需要総量算出部によって短期間区分の区分毎を更に時間区分して時間区分帯毎の電力・熱需要総量を抽出し、熱需要総量算出部により電力・熱需要総量より契約電力対策分を減算することで熱需要総量を求め、ガス需要コスト算出部で熱需要総量に対するコストを算出した後にガス使用期待量を求めると共に、
熱需要設定部により前記短期間区分および時間区分毎のガス使用期待量を総計して所定期間内でのガス使用量下限制約と比較し、ガス使用期待量が少ないときにガス強制使用量を熱需要分だけに割り当て、割り当てられたガス使用期待量とガス強制使用量を配分して消費目標設定部による消費目標値とすることを特徴としたものである。
【０００９】
本発明の請求項２は、エネルギー消費設備のエネルギー源として電力、自然エネルギーおよびガスの供給源を有し、所定期間内でのガス使用量下限制約の有する購入ガス量消費を基にエネルギー最適運転計画作成装置によってエネルギー運転計画を作成するものにおいて、
前記エネルギー最適運転計画作成装置に格納されたデータを基に電力・ガスの
価格の変動時間帯を前記所定期間内での短期間，時間帯で区分してエネルギー需要予想を作成するエネルギー需要作成部と、
エネルギー需要作成部により作成された時間帯区分毎のコージェネレーション利用によるエネルギー総量を算出するエネルギー総量算出部と、
エネルギー総量算出部で算出された実績を基に所定期間内の短期間毎に、エネルギー需要作成部で作成された時間帯区分毎のエネルギー総量を抽出し、各時間帯区分毎のエネルギー総量から前記コージェネレーション利用による契約電力対策分を引いて熱需要総量を算出する熱需要総量算出部と、
算出された熱需要総量に対し、コージェネレーションとボイラ利用以外の電力利用による熱機器による単位出力コスト、およびコージェネレーションとボイラ利用時の単位出力コストをそれぞれ算出する熱需要コスト算出部と、
熱需要コスト算出部で算出された各時間帯でのガス使用コストと電気設備使用時のコスト比較を行い、ガス使用有利のときのガス使用量を期待量とし所定期間内の短期間毎・時間帯毎に求めて所定期間の需要量設定値とするガス使用期待量算出部と、
ガス使用期待量算出部で算出された短期間毎・時間帯毎のガス使用期待量を総計して前記所定期間内でのガス使用量下限制約と比較し、ガス使用期待量の総計が少ないときにガス強制使用量を熱需要分に割り当てる熱需要設定部と、
前記ガス使用期待量とガス強制使用量の何れかを選択し、選択された量を強制使用量の目標値として設定する消費目標設定部を備えたことを特徴としたものである。
【００１０】
本発明の請求項３は、エネルギー消費系統に利用可能な蓄電池の存在時に時間別価格帯調整部を設け、前記エネルギー需要作成部で作成されたエネルギー需要予想の最低電力価格帯で蓄電池をフル充電し、充電時の蓄電池効率を考慮した電力価格がコージェネレーションの発電コストよりも安価なときに最高電力価格帯でフル放電（放電量＝充電量＊充電効率＊放電効率）するようエネルギー需要予想を修正することを特徴としたものである。
【００１１】
本発明の請求項４は、強制使用量を目標値としてエネルギー消費機器の運転を実行する運転制御部を設け、運転制御部はエネルギー消費機器による消費データを入力し、入力された消費データ量が当該短期間の強制使用量の目標値に到達しなかったときには、未到達分を次の短期間の強制使用量の目標値に加算して運転を行うことを特徴としたものである。
【００１２】
本発明の請求項５は、熱需要設定部での所定期間内における時間毎にガス強制使用量を割り当てで、熱需要設定部は、選択機器を所定期間通じて電気料金の高い時間で、且つ電熱運転で使用していない時間を選んで稼動し、電気料金の高額な順に所定期間内の全時間の稼動可否を調べ、稼動可能時に稼動分のガス量を短期間区分の時間帯ガス分配量に加算することを特徴としたものである。
【発明の効果】
【００１３】
以上のとおり、本発明によれば、年間ガス使用量が契約下限制約量内で消費するとき、複数に分散するエネルギー消費機器の負荷変動に対しても、年間を通じて自然エネルギーを考慮しながら電力とガスによる最適運転スケジュールでの運転が可能となるものである。また、比較的少ない最適運転計画作成コストで、且つ実装容易な装置が可能となるものである。
【図面の簡単な説明】
【００１４】
【図１】本発明の実施形態を示す機能構成図。
【図２】エネルギー価格の季節区分・時間区分図。
【図３】季節区分・時間区分毎のエネルギー単価図。
【図４】蓄電池利用時の季節区分・時間区分毎のエネルギー単価図。
【図５】月毎のエネルギー使用量図。
【図６】年間の月毎エネルギー需要図。
【図７】月毎のエネルギー単価図。
【図８】分散電源・熱源の効率表。
【図９】年間の月毎熱需要図。
【図１０】８月の時間帯毎熱需要図。
【図１１】昼間時間帯のエネルギー供給コスト比較説明図。
【図１２】需要計画制御図。
【発明を実施するための形態】
【００１５】
図１は、本発明の機能構成図を示したもので、１はエネルギー最適計画作成装置、２はキーボードやマウスなどからなる入力部、３は表示画面を備えた出力部、４は記憶部で、エネルギーの最適運転計画を作成する上で必要な各データが格納されている。
【００１６】
エネルギー最適運転計画作成装置１は、後述の１１〜１９の各機能を備えている。１１は制御部で、記憶部４に格納されたデータの取得や、１１〜１９間のデータおよび処理プログラム等の授受を円滑に行うためのデータ加工，処理を行ってデータ処理をコントロールする。
【００１７】
１２はエネルギー需要作成部で、制御部１１を介して記憶部４に蓄積されたデータを基に、電力，ガスの一次エネルギー価格で変動が想定される時間帯毎に区分する。図２はエネルギー需要作成部１２により作成されたエネルギー価格の季節区分・時間区分図を示したものである。縦軸は季節区分で、例えば夏季電力料金季節、冬季電力料金季節、…中間季ガス料金季節が採られる。また、横軸は時間区分で、深夜、夜間…冬季ピーク時間で区分し、夜間電力料金、昼間の電力料金および夏季のピークカット時刻や予定負荷状態等を考慮してエネルギー需要予想を作成する。
【００１８】
１３は時間別価格帯調整部で、この時間別価格帯調整部１３はエネルギー需要作成部１２で作成されたエネルギー需要予想によるマトリックスの欄内に図３で示すような季節区分・時間区分毎にエネルギー単価を記入する。さらに、需給制御系統に利用可能な蓄電池総量（充放電効率込みの実量）が存在している場合には、エネルギー需要作成部１２で作成されたエネルギー需要予想の最低電力価格帯でフル充電し、充電時の蓄電池効率を考慮した電力価格がコージェネレーションの発電コストよりも安価なとき最高電力価格帯でフル放電（放電量＝充電量＊放電効率）するモデルを想定し、エネルギー需要作成部１２で作成された時間帯に図４で示すように蓄電池の充放電時間帯を追加し修正する。この時における一次エネルギーの価格は、最低電力価格に充放電効率の逆数を掛けた値を用いる。
なお、蓄電池総量が存在してない場合には、時間別価格帯調整部１３の機能は不要であることは勿論である。
【００１９】
１４はエネルギー総量算出部で、前年又はそれ以前の実績を基に１年間（又は所定期間）の月毎（所定期間を更に短期間で区分）に、エネルギー需要作成部１２で作成された時間帯区分毎の契約電力超え回避を目的として運転したコージェネレーション利用によるエネルギー総量を算出する。実績値のないときには仮想値を用いる。図５は算出された月毎のエネルギー使用量例を示したものであり、
図６は１２〜１４の機能部によって作成された年間の月毎エネルギー需要予想図で、図６で７月と９月が２回表示されている部分は、７月の途中からピークカットなどの夏季料金の価格変更が発生し、９月の途中まで夏季価格が継続することを示している。なお、ＰＶは自然エネルギーを太陽光発電量で示している。
【００２０】
１５は熱需要総量算出部で、エネルギー総量算出部１４で算出された実績を基に１年間の月毎に、エネルギー需要作成部１２で作成された時間区分毎のエネルギー（電力・ガス）総量を抽出する。抽出後、各時間区分のエネルギー総量から
エネルギー総量算出部１４でのコージェネレーション利用等による契約電力対策分を差し引いて熱需要総量を算出する。ただし、電力需要からは当該時間帯の太陽光発電量ＰＶ等の自然エネルギーに基づく発電量は予め差し引いておく。実績値のないときには仮想値を用いる。
【００２１】
１６は熱需要コスト算出部で、熱需要総量算出部１５で算出された熱需要総量に対し、コージェネレーションとボイラを最大限利用し、残りを電力利用した熱機器で賄ったときの単位出力（電力＋熱）あたりのコストを算出する。同時に、同じ熱需要総量に対し、ヒートポンプのような一次エネルギーに電力を使用する熱機器を最大限利用し、残りをコージェネレーションとボイラで賄った時の単位出力（電力＋熱）あたりのコストを計算する。計算に用いるコージェネレーション、ボイラ、およびヒートポンプの変換効率は、最小値、中間値又は最高値の固定値を用い、後に調整できるよう選択可能とされる。図７は月毎のエネルギー単価図の例であり、図８は分散電源・熱源の効率表である。
【００２２】
１７は年間ガス使用期待量算出部で、熱需要コスト算出部１６で算出した各時間帯でのガスをできるだけ多く使用したときのコストと、電気設備を最大に併用したときのコストを比べ、ガスを多く使用した方が安価となったときには、その時間帯ではコージェネレーションを用いた方の利益が上がるとみなして、最大限コージェネレーションとボイラを利用したガス使用量を期待量として月毎・時間帯毎に計算し、記録する。図９はガス使用の期待量として設定された年間の月毎熱需要量の設定値である。
【００２３】
１８はガス使用を熱需要分に割り当てる熱需要設定部で、年間ガス使用期待量算出部１７で算出された月毎・時間帯毎のガス使用期待量を総計し、年間ガス使用量下限制約と比較する。足りていれば次のステップに進むが、不足の時には熱需要コスト算出部１６で算出した月毎・時間帯毎のコスト比較をし、ガス機器優先運転コストと電気機器優先運転コストの差額が少ない時間帯から順に時刻毎にガス強制使用量を熱需要分だけ割り当てる。
【００２４】
１年分の熱需要分の割り当てで、年間ガス使用量下限制約を満たさないときには、コージェネレーションを発電のみで稼動（熱は廃棄する）しガスを消費する。
熱廃棄運転によるガス消費の配分は次の手順で計算する。
Ａ．図８で示す効率表から計算に使用する変換効率を選択する。
Ｂ．一次エネルギーにガスを使用する機器を選択し、効率順に並べる。
Ｃ．電力変換効率の良い順に機器を選択する。
Ｄ．選択した機器を、年間を通して電気料金の高い時刻で、且つ熱需要設定部１８の電熱運転で使用していない時刻を選び稼動する。電気料金の高額な順に１年間の全時間帯の稼動の可否を調べ、可能なときの稼動時には稼動分のガス量を該当月・時間帯ガス配分量に加算する。年間ガス使用量の下限制約を満たしたら、次のステップに移る。１年分の稼動可否の調べが終わったら、次の電力変換効率の良い機器を選択してこのＤの手順に移り、これを繰り返す。
【００２５】
図１０は、熱需要設定部１８によって割り当てられた８月における時間帯毎の熱需要例を示したもので、熱エネルギー負荷に対する深夜時間、昼間時間、夏季ピーク時間および蓄電池放電時間の割り当てが行われる。
【００２６】
図１１は例として８月の昼間時間帯のエネルギー供給コスト比較時の概要を示したもので、電力設備を最大に使用した場合のエネルギー価格をＸ円とし、ガス設備を最大に使用した場合をＹ円としたとき、Ｘ≧Ｙの場合にはエネルギー最適運転計画により自動的にガスの使用が期待できる。また、Ｘ＜Ｙのときには、そのままの運転ではガスの使用が出来なくなるので、価格差の小さい月からガス使用を割り当てる。
【００２７】
１９は消費目標設定部で、割り当てられたガス使用期待量とガス強制使用量を、該当月内の該当時間帯に各日均等配分、又は日毎のガス消費が可能な量から月の前詰めあるいは後詰めで配分する。どれを選択するかは、需要家の事情によるものとして外部インターフェースなどを介し任意に選択可能に構成され、選択値を消費目標値とする。
なお、上記における月毎の区切りは目安であり、その増減は任意に決定される。
月内で季節により一次エネルギーの価格変動がある場合には、その変動が優先される。
【００２８】
次に、季節区分・時間区分毎のエネルギー単位の計算について、具体的な算出法を以下に説明する。
【００２９】
（１）ガスを最大量使用したときのエネルギー単位の計算について
ａ．図８で示す効率表から計算に使用する変換効率を選択する。
ｂ．一次エネルギーにガスを使用する機器を選択し、効率順に並べる。
ｃ．変換効率の良い順に機器を選択する。
ｄ．選択した機器を時刻毎の枠内で運転したときの電気出力Ｏpと熱出力ＯHと変換コストＵcを（１）式〜（３）式よって求める。
【００３０】
Ｏp＝ｍｉｎ（Ｕp，Ｓｐ）          ……（１）式
ただし、Ｏp（ｋＷｈ）：当該機器の季節・時間区分内の電気エネルギー出力、Ｕp：当該機器の最大電気出力（ｋＷｈ）、Ｓｐ：電力需要残量。
【００３１】
ＯH＝ｍｉｎ（ＵH，ＳH）          ……（２）式
ただし、ＯH（ｋＷｈ）：当該機器の季節・時間区分内の熱エネルギー出力、ＳH：熱需要残量。
【００３２】
Ｕc＝ｍａｘ（（１００＊Ｏp／Ｒp）＊ＣH，（１００＊ＣH／ＲH）＊ＣH）
……                                ……（３）式
ただし、Ｒp（％）：選択した変換効率（電気）、ＲH（％）：選択した変換効率（熱）、
Ｕc（￥）：当該機器の変換コスト（一次エネルギーコスト）、ＣH（￥）：ガス単価で、選択した変換効率（電気Ｒp、熱ＲH）での一次エネルギー使用量。
ｅ．対象の月枠の熱需要利用量を満たさないときは、月枠の電熱需要残量を計算（Ｓp＝Ｓp−Ｏp、ＳH＝ＳH−ＯH）して次のエネルギー効率の良いガス機器を選んでｃに戻る。このとき、変換コストを求める式は後述の「季節区分・時間区分毎のエネルギー単位の計算」の（ｄ）の５式に基づく。
ｆ．エネルギー単位ＥUの計算は（４）式による。
ＥU＝ΣＵc／（Ｏp＋ＯH）            ……（４）式
（２）電気を最大量使用したときのエネルギー単位の計算について
（ａ）．図８で示す効率表から計算に使用する変換効率を選択する。
（ｂ）．一次エネルギーに電気を使用する機器を選択し、効率順に並べる。
（ｃ）．変換効率の良い順に機器を選択する。
（ｄ）．選択した機器を各季節・時間区分の枠内で運転したときの熱エネルギー出力ＯHを（２）式で算出した後、（５）式に基づいて変換コストＵc（￥）を求める。
Ｕc＝（１００＊ＯH／ＲH）＊ＣH            ……（５）式
（ｅ）．対象の季節・時間枠のエネルギー利用量を満たさないときは、残量を計算して（ｃ）に戻る。電気機器がないときには、熱出力のあるガス機器を選択して（ｃ）に戻る。このとき、変換コストを求める式は前記「季節区分・時間区分毎のエネルギー単位の計算」のｅに記載の計算式に基づく。
（ｆ）．エネルギー単位ＥUの計算は（６）式による。
【００３３】
ＥU＝ΣＵc／ＯH                          ……（６）式
上記のように、エネルギー最適運転計画作成装置１によって作成される最適計画で、例えば消費目標設定部１９により設定される消費目標値は、該当月における単純平均にはならない。すなわち、雨降りなどによる日照不足や負荷変動に伴って最適計画作成時点とは異なるエネルギー消費の変化が生じる。このため、本発明では年間ガス使用計画に基づき、以下で述べる制約で毎日のエネルギー設備の最適運転を実施する。
【００３４】
図１における５が最適運転を実行するための運転制御部で、運転制御部５には各種のエネルギー消費設備による実消費データが入出力機能部を介して入力される。運転制御部５は、エネルギー最適運転計画作成装置１によって作成された運転計画に基づく需要プログラムにより、毎日の最適運転計画でガス強制使用量の目標値分を強制消費させる。したがって、このときのガス使用期待量は最適運転計画の需要プログラムの結果に基づくものとなる。
【００３５】
運転制御部５に入力された消費データと最適運転計画に基づくガス強制使用量とを比較し、当日の運転が天候や休日などにより熱需要が減り、ガス強制使用が目標に達しなかったときには、翌日の目標に加算される。
また、同様に天候や休日などにより熱需要が変化し、最適化運転によるガス使用量が目標値と異なったときには、その差分を翌日に加算する。
【００３６】
日毎のガス消費実績を月毎（又は所定日毎）の実績として加算し、下限制約量に基づく総量が予め定めた閾値を超えると判断されたときには、年の途中でエネルギー需要作成部１２から消費目標設定部１９による手順で再度計画書を作成して修正し、修正された計画書に基づいての運転を再開する。
【００３７】
なお、運転実行部５は、図１ではエネルギー最適運転計画作成装置１に接続されたエネルギーの最適運転計画による自動運転を行うことで示しているが、エネルギー最適運転計画作成装置１により作成された年間の消費目標値をメモリに格納し、そのメモリ記録を基にプログラムを作成して別個に設置された自動運転機能のない運転制御装置を用いて運転制御を実行してもよく、手動の運転指標としてガス使用量配分計算で消費制御するようにしてもよい。
【００３８】
以上本発明によれば、年間ガス使用量が契約下限制約量内で消費するとき、複数に分散するエネルギー消費機器の負荷変動に対しても、年間を通じて自然エネルギーを考慮しながら電力とガスによる最適運転スケジュールでの運転が可能となるものである。また、最適な需給制御を行うためにシミュレーションを行うことなく可能となるので、少ない最適運転計画作成コストで、且つ実装容易な装置となるものである。
【００３９】
また、最適運転計画作成の手法が演繹的であることから、出力結果の説明や判断が容易にできる。また、一般に、ガス大口契約において年間ガス使用量が契約下限制約を逸脱した場合にはペナルティが発生するが、そのペナルティを加味したときの得失判断時においても、本発明を使用してペナルティを回避する運転時と、ペナルティを受け入れて運用した場合の２回を繰返し算出することで比較判断が容易となるものである。
【符号の説明】
【００４０】
１…  エネルギー最適運転計画作成装置
２…  入力部
３…  表示部
４…  記憶部
５…  運転制御部
１１…  制御部
１２…  エネルギー需要作成部
１３…  時間別価格帯調整部
１４…  エネルギー総量算出部
１５…  熱需要総量算出部
１６…  熱需要コスト算出部
１７…  ガス使用期待量算出部
１８…  熱需要設定部
１９…  消費目標設定部
【図１】
2014228873.tif 000003
【図２】
2014228873.tif 000004
【図３】
2014228873.tif 000005
【図４】
2014228873.tif 000006
【図５】
2014228873.tif 000007
【図６】
2014228873.tif 000008
【図７】
2014228873.tif 000009
【図８】
2014228873.tif 000010
【図９】
2014228873.tif 000011
【図１０】
2014228873.tif 000012
【図１１】
2014228873.tif 000013
【図１２】
2014228873.tif 000014